(57)【要約】      （修正有）【課題】雲台付き一脚に装着したカメラや双眼鏡等を支持し、手持ちの様な撮影及び観望を可能にし、且つ映像の乱れを軽減し、自由なアングルの妨げになりにくい、カメラ支持補助具を提供する。【解決手段】ポケット状のホルダー６を設けたベルト１をたすき状に斜めがけし、体の側面辺りにくるようホルダー位置を調整し、既存の雲台付き一脚８にカメラ等９を取り付け、軸になる一脚の先端をホルダーに差し込み、雲台角度を調整してカメラを持つことにより、一脚に装着したカメラ等が安定した形で支持され、また手振れや動いた時の振動などを抑えることができる。そして軸がある程度意図した位置に移動可能なため、自由なアングルの妨げになりにくい。なお且つ、カメラ等の重みが肩などに分散でき、片手でカメラを持ち、もう片方でカメラ操作もできる。一脚を使用しない時には、一脚の先端をホルダー６にいれ、もう一端をベルトに付いた小さなベルトまたは紐で縛ることにより、一脚を素早く携帯できる。【選択図】図２
0003158797.tif 000002
【実用新案登録請求の範囲】
【請求項１】
滑り止めを施したベルトにポケット状のホルダーを取り付けた、たすき状に斜めがけできるベルトで、既存の雲台付き一脚にカメラ等（静止画撮影用や動画撮用のカメラ、または双眼鏡など）を取り付け、一脚の軸になる先端部分をホルダーに差し込み、体の側面でカメラ等を装着した一脚を支持し、ベルトの長さと一脚の長さ、雲台の角度を調整し、カメラ等を片手もしくは両手で持つことにより、安定した映像を得ながら、自由なアングルと自由なスタイルで撮影または観望できるカメラ支持補助具。
【請求項２】
素早く一脚を着脱でき、請求項１に記載した用途にも使用できる一脚携帯補助具。
【考案の詳細な説明】
【技術分野】
【０００１】  本考案具は、既存の雲台付き一脚に装着したカメラ等（静止画撮影用や動画撮用のカメラ、または双眼鏡など）を支持し、手持ちの様な撮影及び観望を可能にし、且つ映像の乱れを軽減し、自由なアングルの妨げになりにくい、カメラ支持補助具に関するものである。【０００４】  また、両腕を自由にした状態で、一脚を素早く携帯することが可能な、携帯補助具でもある。
【背景技術】
【０００６】  優れた手振れ補正を有しないカメラ等（静止画撮影用や動画撮用のカメラ、または双眼鏡など）で、手持ちによる自由なアングルでの撮影及び観望をする際、手振れなどの揺れが生じ、安定した映像が得られない問題があった。【０００７】  歩いたり、走ったり、階段の上り下りなどの激しい動きを伴う撮影および観望時、動きによる揺れが生じ、同じく安定した映像が得られない問題があった。【０００８】  また、カメラ等を手持ちで長時間使用した場合、腕が疲れさらに安定した撮影及び観望が得られない問題があった。【０００９】  動画撮影時、片手でカメラを持ち、手振れを抑えながら、もう一方の手でピント合わせや、ズーム操作などをスムーズに行うのは困難で、得られた映像は揺れて安定しない問題があった。【００１０】  これらを解決しようとする機材の中には、カメラ等を一脚に取り付け、一脚の軸を体で固定したり、体の前面で支えたりして撮影できるものもあるが、激しく動いた際、体と一脚が直接干渉し、映像の揺れを招いてしまってたり、体に固定された軸は、自由なアングルの妨げにもなっていた。【００１１】  本考案具では、カメラ等を支える一脚の軸が体の側面になるため、身に付けた体自体の動きによる干渉も少ない利点があり、より揺れを軽減でき、  また、カメラ等を支える一脚の軸が、使用者の意図した位置にある程度動くため、自由なアングルの撮影及び観望の妨げになりにくい。【００１２】  一脚を持って撮影または観望に出かけた際、一脚を使用しないときには、一脚の持ち運びが煩わしく不便である。
【考案の概要】
【考案が解決しようとする課題】
【００１３】  優れた手振れ補正を有しないカメラ等（静止画撮影用や動画撮用のカメラ、または双眼鏡など）で、手持ちによる撮影及び観望をする際、手振れによる安定した映像を得られない。【００１４】  手振れ補正を有するカメラ等でも、激しい動きによる撮影および観望（歩いたり、走ったり、階段の上り下りながらの撮影など）では、体の動きにより揺れが生じ、安定した映像が得られない。【００１５】  カメラ等で、手持ちによる撮影及び観望を長時間行う際、腕に負担がかかり、疲れにより安定した映像が得られなくなる。【００１６】  カメラ等で、手持ちによる撮影及び観望をする際、片手でカメラ等を保持し、もう一方の手でカメラ等の操作（ピント合わせや、ズーム操作など）を行うのは、手振れを招き、且つ操作が困難である。【００１７】  通常、一脚を使用した撮影及び観望をする場合、カメラ等を支える一脚の軸が固定されるため、自由なアングルでの撮影及び観望の妨げになる。【００１８】  頻繁に撮影及び観望場所を変え、移動する場合、一脚を持ち運ぶのが面倒であり、とくに足場の悪い場所などでは、一脚を手で持っていると何かと不便である。【００１９】  撮影および観望をしに行く場所には、できるだけ機材を少なく身軽にしたいが、いろいろな撮影及び観望スタイルを考えると機材が多くなり、かさばり不便である。
【課題を解決するための手段】
【００２０】  本考案は、滑り止めとショルダーパッドを施したベルトに、伸縮調整可能な紐を介し、振動を吸収しやすい素材を施したポケット状のホルダーを設けた、環状のベルトであり、それをたすき状に肩にかけ、かけた側とは反対の体の側面にホルダーの底が一番下になるように配置する。【００２１】  そして、一般的な既存の雲台付き一脚にカメラ等（静止画撮影用や動画撮用のカメラ、または双眼鏡など）を取り付け、軸になる一脚の先端部分をホルダーに差し込み、ベルトの長さや一脚の長さ、雲台の角度などを調整し、撮影もしくは観望しやすいポジションにカメラの位置を調整し、カメラ等を片手もしくは両手で握り、撮影または観望する。【００２２】  一脚を使用しない場合、一脚の先端をホルダーに入れ、ホルダーの口を縛り固定し、もう一端をベルトに取り付けてある、紐もしくは小さなベルトで縛り携帯する。
【考案の効果】
【００２３】  一般的な既存の雲台付き一脚にカメラ等（静止画撮影用や動画撮用のカメラ、または双眼鏡など）を取り付け、軸になる一脚の先端部分を本考案具のホルダーに差し込み、カメラ等を片手もしくは両手で握った場合、手持ちによる撮影及び観望のような状態にできる。【００２４】  撮影及び観望の状態時、カメラ等を取り付けた一脚の軸が、身に付けたベルトの最下部、つまりホルダーの底部分で支えられ、且つ滑り止めを施したベルトが、体とのずれを押さえるため、一脚の軸を使用者が意図した位置からずらさない状態にし、手振れ、もしくは激しい動きによる揺れを抑える効果が得られる。【００２５】  撮影及び観望の状態時、衝撃を吸収する素材などでできたホルダーの効果と、ベルトに伝わる振動を体が吸収することによって、手振れ、もしくは激しい動きによる揺れを抑える効果が得られる。【００２６】  撮影及び観望の状態時、たすき状にかけた本考案具により、カメラ等を装着した一脚の軸を体の側面で支えることができ、体を動かしても軸が直接体の干渉を受けにくく、体と軸が触れて生じる振動、及び揺れも抑えることができる。【００２７】  撮影及び観望の状態時、カメラ等を装着した一脚の軸が、ある程度使用者の意図した位置に移動可能なため、比較的自由なアングルでの撮影及び観望ができる。【００２８】  撮影及び観望の状態時、カメラ等の重みは肩と腕で支えることになり、腕の疲れは、通常の手持ち撮影及び観望をした場合と比べて、軽減できる。【００２９】  撮影及び観望の状態時、カメラ等を片手で容易に保持できるため、もう一方の手で、カメラ等のピント合わせやズーム操作などを手振れを抑えた状態で、容易に行うことができる。【００３０】  撮影及び観望の状態時、ベルトの長さや、一脚の長さ、雲台の角度などを調整することにより、ファインダーを覗きながらや、カメラのモニター見ながらなどの自由なスタイルで、撮影及び観望できる。【００３１】  一脚を携帯する場合、簡単に本考案具に装着し携帯できるため、素早く両腕を自由にすることができる。【００３２】  本考案具は、軽量コンパクトで、効果を得るためには既存の一脚を使用するため、専用の機材が必要なく、さらに、一脚の携帯補助具としても使えるため、撮影者を身軽にできる。
【図面の簡単な説明】
【００３３】
【図１】図４は本考案具の斜視図である。
【図２】図１は本考案具を装着した一使用例を示した図である。（実施例１）
【図３】図２は本考案具を装着した一使用例を示した図である。（実施例２）
【図４】図３は本考案具を装着した一使用例を示した図である。（実施例３）
【考案を実施するための形態】
【００３４】  本考案具で、撮影及び観望するためには、本考案具を身に付け、既存の雲台付き一脚にカメラ等（静止画撮影用や動画撮用のカメラ、または双眼鏡など）を装着し、軸になる一脚を本考案具のホルダーに差し込み、本考案具の長さと一脚の長さ、雲台の角度を調整し、カメラを持つことにより可能になる。これにより、自由なアングルを損なわず、手振れや体の動きによる揺れで生じる映像の乱れを軽減でき、さらに腕の疲れも軽減できる。
【００３５】  身に付けた本考案具で、一脚を携帯するには、一脚の一端を本考案具のホルダーに差し込み、ホルダー口を縛り、一脚のもう一端を本考案具のベルトについている紐もしくは小さなベルトで縛ることにより、素早く両手を自由にした状態で携帯できる。
【実施例１】
【００３６】  図２は、既存の伸縮可能な雲台付き一脚にカメラを取り付け、それを身に付けた本考案具の一脚支持ホルダー（６）に差し込み、支持した状態でカメラのファインダーを覗きながら、カメラのピントまたはズームを調整しているところを示した正面図である。
【実施例２】
【００３７】  図３は、既存の伸縮可能な雲台付き一脚にカメラを取り付け、それを身に付けた本考案具の一脚支持ホルダー（６）に差し込み、支持した状態でカメラのモニターで映像を確認しながら、撮影しているところを示した斜視図である。
【実施例３】
【００３８】  図４は、本考案具を身につけ、一脚の一端をを本考案具の一脚支持ホルダー（６）に差し込み、もう一端を一脚保持ベルトまたは紐（３）で固定し、一脚を携帯しているところを示した正面図である。
【符号の説明】
【００３９】  １    滑り止め付き肩掛けベルトパッド
２    一脚保持ベルトまたは紐取り付け部
３    一脚保持ベルトまたは紐
４    伸縮調整部
５    支持袋締め付け部
６    一脚支持ホルダー
７    ベルト取り付け具
８    雲台付き一脚
９    カメラ
【図１】
0003158797.tif 000003
【図２】
0003158797.tif 000004
【図３】
0003158797.tif 000005
【図４】
0003158797.tif 000006
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
滑り止めとパッドを施した伸縮調整可能なベルトに、カメラ及び望遠鏡を装着した雲台付き一脚を支持するためのポケット状ホルダーを取り付け、肩掛けできるように環状にした、カメラ及び望遠鏡の支持補助具。
【請求項２】
一脚を携帯するため請求項１で示したホルダーに一脚の一端を差込み、請求項１で示したベルトに一脚のもう一端を保持するためのベルト又は紐を有することを特徴とする請求項１に記載のカメラ及び望遠鏡の支持補助具。